(57)【要約】【課題】交流矩形波電圧・電流の極性反転時におけるオーバーシュートを抑制した放電灯点灯装置を提供する。【解決手段】インバータ１２は、コンバータ１１から供給される直流電力を、交流矩形波電力に変換して出力する。電力演算部２０は、コンバータ１１の出力側において検出された電圧検出信号及び電流検出信号から電力検出信号を生成する。制御目標値設定部２２は、直流電力を目標値に制御する出力電力指令値を出力する。補正信号生成部２５は、電力検出信号に応じて出力電力指令値を補正する補正信号を交流矩形波電力の極性反転に同期して出力する。コンバータ制御信号発生部２１は、出力電力指令値に対する電力検出信号の誤差に対応する信号を出力する。パルス幅制御部２３は、コンバータ制御信号発生部２１から供給される信号に基づいて、コンバータ１１にパルス幅制御を与える。【選択図】    図１
2004296119.tif 000002
【特許請求の範囲】
【請求項１】
コンバータと、インバータと、制御部とを含む放電灯点灯装置であって、
前記コンバータは、入力電力をスイッチングし、スイッチング出力を直流電力に変換して出力し、
前記インバータは、前記コンバータから供給される前記直流電力を、交流矩形波電力に変換して出力し、
前記制御部は、電力演算部と、制御目標値設定部と、補正信号生成部と、コンバータ制御信号発生部と、パルス幅制御部とを含んでおり、
前記電力演算部は、前記コンバータの出力側において検出された電圧検出信号及び電流検出信号から電力を演算して電力検出信号を生成し、
前記制御目標値設定部は、前記直流電力を目標値に制御する出力電力指令値を出力し、
前記補正信号生成部は、前記電力検出信号に応じて前記出力電力指令値を補正する補正信号を生成し、前記補正信号を、前記交流矩形波電力の極性反転に同期して出力し、
前記コンバータ制御信号発生部は、前記出力電力指令値と、前記補正信号及び前記電力検出信号とが供給され、前記補正信号による補正を受けた前記出力電力指令値に対する前記電力検出信号の誤差に対応する信号を出力し、
前記パルス幅制御部は、前記コンバータ制御信号発生部から供給される前記信号に基づいて、前記コンバータにパルス幅制御を与える
放電灯点灯装置。
【請求項２】
請求項１に記載された放電灯点灯装置であって、前記制御目標値設定部は、前記直流電力の電流値を目標値として設定し、電流を制御する放電灯点灯装置。
【請求項３】
請求項１または２の何れかに記載された放電灯点灯装置であって、
前記制御部のうち、少なくとも電力演算部と、補正信号生成部とがマイクロコンピュータで構成される放電灯点灯装置。
【請求項４】
請求項３に記載された放電灯点灯装置であって、前記補正信号生成部は、前記電力検出信号に応じて前記補正信号のレベルを制御する放電灯点灯装置。
【請求項５】
請求項３に記載された放電灯点灯装置であって、
前記補正信号生成部は、前記電力検出信号に応じて前記補正信号の発生期間を制御する放電灯点灯装置。
【請求項６】
請求項３に記載された放電灯点灯装置であって、
前記マイクロコンピュータは記憶部を含み、前記記憶部は複数個の補正信号パターンを記憶し、
前記補正信号生成部は前記電力検出信号に応じて前記補正信号パターンを選択して出力する
放電灯点灯装置。
【発明の詳細な説明】
【０００１】
【発明の属する技術分野】
本発明は、直流電力を交流矩形波電力に変換して放電灯に供給する放電灯点灯装置に関する。更に詳しくは、高圧水銀灯または超高圧水銀灯等の高圧放電灯を、交流矩形波電力で点灯させるのに適した放電灯点灯装置に係る。
【０００２】
【従来の技術】
高圧放電灯に、例えば５０〜５００Ｈｚ程度の低周波数交流矩形波電力を供給して点灯させると、高圧放電灯を比較的高い効率で点灯させ得ることが既に知られている。
【０００３】
交流矩形波電力で点灯する放電灯点灯装置は、一般的に商用交流を整流して直流にしたのち、降圧チョッパ回路等で構成されるコンバータで電力制御し、さらに二個ないし四個の半導体スイッチ素子を組み合わせたブリッジ回路等で構成されるインバータを使用して、低周波数交流矩形波の電流、電圧に変換して放電灯に供給する方式である。
【０００４】
特許文献１は、このような交流矩形波電力で点灯する放電灯点灯装置を開示している。この特許文献１に開示された放電灯点灯装置は、直流電源に接続され、高周波で動作するチョッパ回路と、このチョッパ回路に接続され低周波で動作するスイッチング素子からなるブリッジインバータ回路と、このブリッジインバータ回路の出力側にパルストランスを介して接続された放電灯を含む負荷回路とを備えている。前記パルストランスは漏れ磁束を小さくする観点から閉磁路のものが使用される。パルストランスを閉磁路にすると、放電灯とパルストランスの一次巻線との直列回路を流れる矩形波電流が反転する際に、パルストランスの鉄心に発生する磁気エネルギが急激に変化して、鉄心の接合部分からうなりが発生するという問題がある。
【０００５】
このため、この先行技術文献に開示された放電灯点灯装置は、ブリッジインバータ回路のスイッチング素子のオン、オフの切り替え時期に同期して、チョッパ回路から供給される電流を減少させるよう制御し、パルストランスから発生するうなりを少なくしている。
【０００６】
ところが、交流矩形波電力で点灯する放電灯点灯装置にあっては、前記うなりの問題以外に、放電灯点灯装置の回路のインピーダンス特性およびランプそのもののインピーダンス特性によって、交流矩形波電圧、電流の反転時に振動が生じオーバーシュートが発生する場合がある。オーバーシュートの発生は、放電灯に対して種々の弊害を及ぼす。
【０００７】
以下、図面を参照してオーバーシュートの発生状態を説明する。
図１３は、交流矩形波電力で点灯する放電灯点灯装置の各部の波形図であって、コンバータの出力電圧、インバータの出力電流及びインバータのブリッジ信号を示す。図１４はその丸で囲んだ部分の拡大図である。
コンバータの出力電圧・電流は制御された直流電圧・電流であるが、後段に接続されたブリッジインバータにより交流矩形波に変換される。
【０００８】
このため、図１３に示す如く、コンバータの出力電圧およびインバータの出力電流はブリッジ信号１、２のオン・オフが切り替わる極性反転時の時刻Ｔ１、Ｔ２、Ｔ３、Ｔ４の直前までは、それぞれランプ負荷の要求する電圧・電流となるよう制御されるが、極性反転にともない振動を生じる。
【０００９】
すなわち、インバータは一般に半導体スイッチング素子を用いたブリッジ回路で構成される。ブリッジ回路の半導体スイッチング素子は、同時オンによる短絡を防止するため、極性反転時にデッドタイムを設けてそのオン・オフが制御される。
【００１０】
図１４に示す如く、このデッドタイムｔｄの期間においては、半導体スイッチ素子が全て遮断状態に置かれるため、コンバータからの伝達エネルギーは負荷であるランプに到達することができず、コンバータの出力電圧を上昇させる。さらに、放電灯点灯装置の回路中に存在するインダクタンス成分により電流の転流が発生し、この電流が放電灯点灯装置の負荷側にある放電灯からコンバータへ回生していくため、この成分によってもコンバータの出力電圧が上昇する。
【００１１】
デッドタイムｔｄの期間が終了すると、ブリッジ回路の半導体スイッチング素子が導通状態になり、放電灯側にコンバータの出力電圧が印加される。このとき、コンバータの出力電圧は上昇しており、放電灯に供給される電圧・電流は極性反転前より大きな値となり、振動およびオーバーシュートが発生する。
【００１２】
このオーバーシュート発生時において、放電灯に供給される電流・電圧は放電灯に対して過電流・過電圧となる。このような過電流・過電圧の状態が交流矩形波電圧・電流の極性反転時ごとに発生すれば、放電灯自身の電極はその都度ダメージを受け、さらに電極に対してのダメージが積み重なれば、放電灯自身の寿命が低下することになる。
【００１３】
また、オーバーシュートは、コンバータの出力コンデンサの容量を大きくすることにより、低減させることもできるが、この場合、コンバータの出力電圧の上昇を抑えられる反面、振動周期が長くなるため、振動の整定時間も長くなる。放電灯に供給される電圧・電流に振動が残ると、放電灯の光出力にその振動がちらつきとして現れたり、放電灯を立ち消えさせてしまったり、さらには、交流矩形波電圧・電流の極性反転時の放電灯への突入電流（短絡電流）が大きくなるという問題が発生する。
【００１４】
交流矩形波電圧・電流の極性反転時の放電灯への突入電流（短絡電流）が大きくなると、放電灯の電極の磨耗を引き起こすといわれており、放電灯の寿命を低減させてしまうことになる。
【００１５】
したがって、放電灯を適切に点灯させるためには、交流矩形波電圧・電流の極性反転時に放電灯に供給される電圧・電流波形を調整し、オーバーシュートの発生を抑制する必要がある。また、オーバーシュートは、放電灯に供給される電流が大きいときは大きく、放電灯に供給される電流が小さいときは小さくなり、さらに、放電灯個々の累積点灯時間によっても変動することから、オーバーシュートの低減量を制御できる放電灯点灯装置が必要となる。
【００１６】
【特許文献１】
特開平３−１１６６９３号公報
【００１７】
【発明が解決しようとする課題】
本発明の課題は、交流矩形波電圧・電流の極性反転時における電圧・電流のオーバーシュートを抑制し、放電灯の長寿命化を図った放電灯点灯装置を提供することである。
【００１８】
本発明のもう一つ課題は、交流矩形波電圧・電流の極性反転時における電圧・電流の振動を抑制し、放電灯のちらつきや、立ち消えのない放電灯点灯装置を提供することである。
【００１９】
本発明の更にもう一つ課題は、交流矩形波電圧・電流の極性反転時における電圧・電流のオーバーシュートの抑制量を制御し、放電灯の累積点灯時間にかかわらず、安定して点灯できる放電灯点灯装置を提供することである。
【００２０】
【課題を解決するための手段】
上述した課題を解決するため、本発明に係る放電灯点灯装置はコンバータと、インバータと、制御部とを含む。
【００２１】
前記コンバータは、入力電力をスイッチングし、スイッチング出力を直流電力に変換して出力する。
【００２２】
前記インバータは、前記コンバータから供給される前記直流電力を交流矩形波電力に変換して出力する。
【００２３】
前記制御部は、電力演算部と、制御目標値設定部と、補正信号生成部と、コンバータ制御信号発生部と、パルス幅制御部とを含んでいる。
【００２４】
前記電力演算部は、前記コンバータの出力側において検出された電圧検出信号及び電流検出信号から電力を演算して電力検出信号を生成する。
【００２５】
前記制御目標値設定部は、前記直流電力を目標値に制御する出力電力指令値を出力する。
【００２６】
前記補正信号生成部は、前記電力検出信号に応じて前記出力電力指令値を補正する補正信号を生成して、前記交流矩形波電力の極性反転に同期して出力する。
【００２７】
前記コンバータ制御信号発生部は、前記出力電力指令値と、前記補正信号及び前記電力検出信号とが供給され、前記補正信号による補正を受けた前記出力電力指令値に対する前記電力検出信号の誤差に対応する信号を出力する。
【００２８】
前記パルス幅制御部は、前記コンバータ制御信号発生部から供給される前記信号に基づいて、前記コンバータにパルス幅制御を与える。
【００２９】
上述した本発明に係る放電灯点灯装置において、コンバータが入力電力をスイッチングし、スイッチング出力を直流電力に変換して出力し、インバータが前記コンバータから供給される前記直流電力を交流矩形波電力に変換して出力するから、放電灯は交流矩形波電力で駆動される。
【００３０】
電力演算部は、前記コンバータの出力側において検出された電圧検出信号及び電流検出信号から電力を演算して電力検出信号を生成する。制御目標値設定部は、前記直流電力を目標値に制御する出力電力指令値を出力する。補正信号生成部は、前記電力検出信号に応じて前記出力電力指令値を補正する補正信号を生成して、前記交流矩形波電力の極性反転に同期して出力する。コンバータ制御信号発生部は、前記出力電力指令値と前記補正信号及び前記電力検出信号が供給され、前記出力電力指令値に対する前記電力検出信号の誤差に対応する信号を出力する。パルス幅制御部は、前記コンバータ制御信号発生部から供給される前記信号に基づいて、前記コンバータにパルス幅制御を与える。
【００３１】
このため、前記コンバータ出力は放電灯が必要とする電力に制御されるとともに、前記交流矩形波電力の極性反転時には補正信号により補正された出力に制御される。したがって、本発明に係る放電灯点灯装置では、交流矩形波電圧・電流の極性反転時における電圧・電流のオーバーシュートおよび振動が抑制されるとともに、その抑制量が制御されるので、放電灯の電極に与えるダメージが小さく放電灯の長寿命化が図れる。
【００３２】
また、放電灯のちらつきや立ち消えがなく、放電灯の累積点灯時間にかかわらず、安定して点灯できる放電灯点灯装置を提供することができる。
【００３３】
本発明に係る放電灯点灯装置は電圧制御、電流制御あるいは電力制御のうちいずれの形態をも取りうるが、前記制御目標値を前記直流電力の電流値とすれば、電流制御となり放電灯を点灯するのに適している。
【００３４】
前記制御部は、少なくとも前記電力演算部と、補正信号生成部とをマイクロコンピュータで構成することができる。これらの部分をマイクロコンピュータで構成すれば、補正信号の発生期間を制御する時間制御や、補正信号の大きさを制御するレベル制御あるいはマイクロコンピュータの記憶部に補正信号パターンを記憶させ、記憶パターンを選択するパターン制御等種々の制御形態を容易にとり得ることができ、またオーバーシュートを抑制しない補正量零制御も容易にとり得ることができる。
【００３５】
本発明の他の目的、構成及び利点については、添付図面を参照して更に詳しく説明する。添付図面は単なる例示に過ぎない。
【００３６】
【発明の実施の形態】
図１は、本発明に係る放電灯点灯装置の一実施例を示すブロック図である。図示された放電灯点灯装置は、コンバータ１１と、インバータ１２と、高圧発生部１３と、制御部２とを含んでいる。
【００３７】
コンバータ１１は、入力端子Ｔ１１、Ｔ１２に供給される入力直流電力Ｐｉｎをスイッチングし、スイッチング出力を直流電力に変換して出力する。コンバータ１１におけるスイッチング周波数は、例えば、１０〜５００ｋＨｚの値に設定することができる。
【００３８】
インバータ１２は、コンバータ１１から出力される直流電力を、交流電力に変換して出力する。インバータ１２は、一種の矩形波発生回路であり、二個ないし四個の半導体スイッチ素子を組み合わせたブリッジ回路等で構成され、交流矩形波電力を出力する。インバータ１２は、インバータ駆動回路２４から供給される駆動パルス信号Ｓ１０、Ｓ０１によって駆動される。駆動パルス信号Ｓ１０は、駆動パルス信号Ｓ０１を反転して得られたもので、駆動パルス信号Ｓ０１が高レベル（論理値１）にあるとき低レベル（論理値０）になり、駆動パルス信号Ｓ０１が低レベル（論理値０）にあるとき高レベル（論理値１）になる。更に、駆動パルス信号Ｓ０１、Ｓ１０には、その切替時に全ての半導体スイッチ素子を遮断状態にしてデッドタイムを設けるために、共に高レベルになる期間を設定してある。高レベルになる期間ではなく、駆動パルス信号Ｓ０１、Ｓ１０に、その切替時に共に低レベルになる期間を設定してもよい。
【００３９】
駆動パルス信号Ｓ１０、Ｓ０１によって定まるインバータ１２のスイッチング周波数は、コンバータ１１よりも低い値に選定される。例えば、コンバータ１１におけるスイッチング周波数は１０〜５００ｋＨｚに選定され、インバータ１２のスイッチング周波数は５０〜５００Ｈｚに選定される。
【００４０】
実施例では、更に、インバータ１２の後段に、高圧発生部１３を含んでいる。高圧発生部１３は、放電灯３の起動に必要な高電圧を発生し、出力端子Ｔ２１、Ｔ２２に供給する。
【００４１】
放電灯３は、両端が出力端子Ｔ２１、Ｔ２２に接続されており、出力端子Ｔ２１、Ｔ２２を介して、起動時には高圧発生部１３から高電圧の起動パルスの供給を受け、定常時にはインバータ１２から交流矩形波電力の供給を受ける。
制御部２は、電力演算部２０と、コンバータ制御信号発生部２１と、制御目標値設定部２２と、パルス幅制御部２３と、インバータ駆動回路２４と、補正信号生成部２５とを含む。電力演算部２０は、電圧検出信号Ｓ（Ｖ）及び電流検出信号Ｓ（Ｉ）から電力を演算して電力検出信号Ｓ（ＩＶ）を生成する。
【００４２】
電圧検出信号Ｓ（Ｖ）はコンバータ１１の出力側に現れる電圧を、電圧検出回路１４によって検出することによって得られる。コンバータ１１の出力電圧は直流電圧であるが、放電灯３に供給される交流パルス電圧Ｖｏの電圧情報を含んでいる。従って、電圧検出信号Ｓ（Ｖ）は、出力電圧情報として利用することができる。
【００４３】
電流検出信号Ｓ（Ｉ）は、電力供給ラインに流れる電流を検出する電流検出回路１５によって得られる。電力供給ラインに流れる電流は、実質的に、放電灯３に流れる交流パルス電流Ｉｏと等価である。従って、電流検出信号Ｓ（Ｉ）は、交流パルス電流Ｉｏの情報として用いることができる。
【００４４】
制御目標値設定部２２は、コンバータ１１から出力される直流電力を放電灯に供給するに適した目標値に制御する出力電力指令値Ｓ１を出力する。
【００４５】
補正信号生成部２５は、電力演算部２０から電力検出信号Ｓ（ＩＶ）が供給されるとともに、インバータ駆動回路２４から駆動パルス信号Ｓ１０、Ｓ０１に同期する極性反転信号Ｓ００が供給される。そして、電力検出信号Ｓ（ＩＶ）に応じて出力電力指令値Ｓ１を低減するための補正信号Ｓ２を生成して、インバータ１２から出力される交流矩形波電力の極性反転に同期して出力する。
【００４６】
コンバータ制御信号発生部２１は、制御目標値設定部２２と補正信号生成部２５と電力演算部２０とから、それぞれ、出力電力指令値Ｓ１、出力電力指令値Ｓ１を補正するための補正信号Ｓ２、および、電力検出信号Ｓ（ＩＶ）が供給される。そして、補正信号Ｓ２による補正を受けた出力電力指令値Ｓ１と、電力検出信号Ｓ（ＩＶ）との間の誤差に対応する信号△Ｐｏを出力する。
【００４７】
パルス幅制御部２３は、コンバータ制御信号発生部２１から供給される信号△Ｐｏに基づいて、コンバータ１１にパルス幅制御を与える。より具体的には、パルス幅制御部２３は、三角波発振回路２６を持ち、三角波発振回路２６から供給される三角波信号と、コンバータ制御信号発生部２１から供給される信号△Ｐｏとより、信号△Ｐｏに応じたパルス幅を持つ信号を生成し、この信号をコンバータ１１に供給して、そのスイッチング動作を制御する。
【００４８】
上述のパルス幅制御によってコンバータ１１がスイッチング動作をした場合、コンバータ１１の出力側に現れる電圧及び電流は、電圧検出部１４及び電流検出部１５によって検出される。そして、電圧検出信号Ｓ（Ｖ）及び電流検出信号Ｓ（Ｉ）が電力演算部２０に供給され、電力演算部２０から、コンバータ制御信号発生部２１に電力検出信号Ｓ（ＩＶ）が供給される。この電力検出信号Ｓ（ＩＶ）は、信号発生回路２１において、出力電力指令値Ｓ１と対比され、その誤差に対応する信号△Ｐｏが生成される。そして、パルス幅制御部２３により、信号△Ｐｏに応じたパルス幅制御がコンバータ１１に加えられる。
【００４９】
ここで、補正信号生成部２５は、電力検出信号Ｓ（ＩＶ）に応じて出力電力指令値Ｓ１を低減するための補正信号Ｓ２を生成して、交流矩形波電力の極性反転に同期して出力している。このため、交流矩形波電力の極性反転時においては、出力電力指令値Ｓ１が低減した状態で電力検出信号Ｓ（ＩＶ）と対比されることとなり、コンバータ１１の出力電力が低減する方向にパルス幅制御が加えられる。その結果、交流矩形波電圧・電流の極性反転時における電圧・電流のオーバーシュートおよび振動が抑制される。また、補正信号生成部２５は、電力検出信号Ｓ（ＩＶ）に応じて出力電力指令値Ｓ１を低減するための補正信号Ｓ２を生成するので、オーバーシュートおよび振動の抑制量を適切に制御できる。
【００５０】
制御部２を構成する要素のうち、電力演算部２０と、補正信号生成部２５およびインバータ駆動回路２４のうちの駆動信号発生部分とがマイクロコンピュータ３で構成される。このようにマイクロコンピュータ３を用いると、制御部２の構成が簡略化できるとともに、高度な制御を行うことができる。
【００５１】
以下、制御部２がマイクロコンピュータ３を含むことを前提にし、フローチャートとタイミングチャートを参照して本実施例の種々の制御の形態を説明する。
【００５２】
図２は、本発明に係る放電灯点灯装置の一実施例の第１の制御の形態を示すフローチャートであって、図３はそのタイミングチャートである。図においてｔｄはインバータ１２を構成するスイッチング素子のデッドタイム、矢印ΔＳは補正信号の可変量を示す。
【００５３】
本制御の形態は図の矢印ΔＳで示すように補正信号のレベルを可変して制御する形態である。本制御の形態では、シーケンスが開始されると電力演算部２０から供給される電力検出信号Ｓ（ＩＶ）に基づき補正レベルが決定され、補正信号がセットされる。次に、インバータ１２の駆動信号が切り替えられ、インバータ１２はデッドタイムｔｄに入る。デッドタイムｔｄの期間はあらかじめ所定の期間に定められている。デッドタイムｔｄの期間が経過するとインバータ１２の駆動信号が切り替えられ、インバータ１２から出力される交流矩形波の極性が反転する。その後補正信号はリセットされ一連の処理が終了する。
【００５４】
この間、補正信号生成部２５は出力電力指令値を低減するための補正信号Ｓ２をコンバータ制御信号発生部２１に供給する。したがって、交流矩形波電圧・電流の極性反転時における電圧・電流のオーバーシュートおよび振動が抑制される。また、補正信号レベルが電力検出信号Ｓ（ＩＶ）に応じて制御されるので、オーバーシュートおよび振動の抑制量を適切に制御できる。
【００５５】
図４は、図２に図示した本発明に係る放電灯点灯装置の一実施例の第２の制御の形態を示すフローチャートであって、図５はそのタイミングチャートである。図においてｔ１はインバータ１２を構成するスイッチング素子のデッドタイム前の補正信号発生期間、ｔ２はデッドタイム、ｔ３はデッドタイム後の補正信号発生期間、矢印ΔＳは補正信号の可変量を示す。
【００５６】
本制御の形態は図の矢印ΔＳで示すように補正信号の発生期間を可変して制御する形態である。本制御の形態では、シーケンスが開始されると電力演算部２０から供給される電力検出信号Ｓ（ＩＶ）に基づき補正信号Ｓ２の発生期間である期間ｔ１、デッドタイムｔ２、期間ｔ３が決定され、補正信号がセットされる。
【００５７】
次に、デッドタイム前の補正信号発生期間ｔ１を経過するとインバータ１２の駆動信号が切り替えられ、インバータ１２はデッドタイムｔ２に入る。デッドタイムｔ２の期間はあらかじめ定められた所定の期間でも良いが、本制御の形態では電力演算部２０から供給される電力検出信号Ｓ（ＩＶ）に基づき決定される。デッドタイムｔ２の期間が経過するとインバータ１２の駆動信号が切り替えられ、インバータ１２から出力される交流矩形波の極性が反転する。その後、補正信号Ｓ２はデッドタイム後の補正信号発生期間ｔ３を経過した後にリセットされ一連の処理が終了する。
【００５８】
この間、補正信号生成部２５は出力電力指令値Ｓ１を低減するための補正信号Ｓ２をコンバータ制御信号発生部２１に供給する。したがって、交流矩形波電圧・電流の極性反転時における電圧・電流のオーバーシュートおよび振動が抑制される。また、補正信号Ｓ２の発生期間が電力検出信号Ｓ（ＩＶ）に応じて制御されるので、オーバーシュートおよび振動の抑制量を適切に制御できる。
【００５９】
以上、補正信号Ｓ２のレベルを制御する第１の制御の形態と、補正信号Ｓ２の発生期間を制御する第２の制御の形態とを例示して説明したが、これらを複合させた制御の形態をとれば、より高度な制御が可能となる。
【００６０】
図６は、図１に図示した放電灯点灯装置におけるの第３の制御の形態を示すフローチャートである。図において、出力パターンＡ、出力パターンＢ、・・・出力パターンＣは、それぞれマイクロコンピュータの記憶部に記憶させた補正信号パターンの例とインバータ駆動信号との関係を示すタイミングチャートである。
【００６１】
本制御の形態は、マイクロコンピュータ３の記憶部に記憶させた複数個の補正信号パターンから、電力検出信号Ｓ（ＩＶ）に応じて、一個の補正信号パターンを選択して出力し制御する形態である。補正信号パターンは、放電灯に供給される電力範囲に合わせて複数個用意する以外に、放電灯の特性や、放電灯累積点灯時間に起因する特性変化等に応じて複数個用意することもできる。
【００６２】
本制御の形態では、シーケンスが開始されると電力演算部２０から供給される電力検出信号Ｓ（ＩＶ）に基づき、出力すべき補正信号パターン例えば、出力パターンＡ、出力パターンＢ、・・・出力パターンＣに示した補正信号パターンの何れかが選択決定される。補正信号パターンは、インバータ１２の駆動信号とともに決められたタイミングで出力され処理を終了する。
【００６３】
ここで、図に例示された出力パターンについて説明する。出力パターンＡに示す補正信号は、時間（τｄ／２）の補正信号発生期間ｔ１、ｔ３と、時間τｄの補正信号発生期間ｔ２とを含み、放電灯への供給電力が比較的大きいときに選択されるパターンである。
【００６４】
出力パターンＢに示す補正信号は、期間ｔ２の間のみ、時間τｄの補正信号を発生する。出力パターンＣに示す補正信号は、期間ｔ２の後にのみ、時間（τｄ／２）の補正信号発生期間を有し、放電灯への供給電力が比較的小さいときに選択されるパターンである。
【００６５】
以上、補正信号の発生期間のみ可変した補正信号パターンを例示したが、補正レベルを可変した補正信号パターンやこれらの組み合わせパターンを採用することもでき、補正信号無しのパターンも含め、無数の補正信号パターンが設定できる。
【００６６】
図７〜図１２は図２に図示した放電灯点灯装置の補正信号と負荷電流波形の比較図であって、図７、図９、図１１は、本発明に係る第２の制御の形態で制御したときの補正信号と負荷電流波形図、図８、図１０、図１２は、本発明に拠らない補正量一定の補正信号で制御したしたときの補正信号と負荷電流波形図である。
【００６７】
図７、図８は放電灯許容負荷電流の最大値で放電灯を点灯したときの例を示す。図７は本発明に係る第２の制御の形態で制御しているので、補正信号の発生時間が長くなり、オーバーシュートは１１４％と適切に抑制されている。他方、図８は、本発明に拠らない補正量一定の補正信号で制御しているので、負荷電流に対して補正量が少なく、オーバーシュートは１８４％と大きくなっている。
【００６８】
図９、図１０は放電灯許容負荷電流の中間値で放電灯を点灯したときの例を示す。図９、図１０ともに、補正信号の発生時間がほぼ等しくなり、オーバーシュートは図９が１１４％、図１０が１１５％と何れも適切に抑制されている。
【００６９】
図１１、図１２は放電灯許容負荷電流の最小値で放電灯を点灯したときの例を示す。図１１は、本発明に係る第２の制御の形態で制御しているので、補正信号の発生時間が短くなり、オーバーシュートは１３２％と適切に抑制されている。他方、図１２は、本発明に拠らない補正量一定の補正信号で制御しているので、負荷電流に対して補正量が大きくなり、波形歪が発生し、オーバーシュートは１９５％と大きくなっている。
【００７０】
このように、本発明の制御の形態で制御すれば、放電灯許容負荷電流の広い範囲でオーバーシュートの抑制が可能であるが、本発明に拠らない補正量一定の補正信号で制御した場合は特定の負荷電流範囲でしか、オーバーシュートを抑制することができない。
【００７１】
以上、好ましい実施例を参照して本発明を詳細に説明したが、本発明はこれらに限定されるものではなく、当業者であれば、その基本的技術思想および教示に基づき、種々の変形例を想到できることは自明である。
【００７２】
【発明の効果】
以上述べたように、本発明によれば次のような効果を得ることができる。
（Ａ）交流矩形波電圧・電流の極性反転時における電圧・電流のオーバーシュートを抑制し、放電灯の長寿命化を図った放電灯点灯装置を提供することができる。
（Ｂ）交流矩形波電圧・電流の極性反転時における電圧・電流の振動を抑制し、放電灯のちらつきや、立ち消えのない放電灯点灯装置を提供することができる。
（Ｃ）交流矩形波電圧・電流の極性反転時における電圧・電流のオーバーシュートの抑制量を制御し、放電灯の累積点灯時間にかかわらず、安定して点灯できる放電灯点灯装置を提供することができる。
【図面の簡単な説明】
【図１】本発明に係る放電灯点灯装置の一実施例を示すブロック図である。
【図２】図１に図示した実施例における第１の制御の形態を示すフローチャートである。
【図３】図１に図示した実施例における第１の制御の形態を詳細に示すタイミングチャートである。
【図４】図１に図示した実施例における第２の制御の形態を示すフローチャートである。
【図５】図１に図示した実施例における第２の制御の形態を詳細に示すタイミングチャートである。
【図６】図１に図示した実施例における第３の制御の形態を示すフローチャートである。
【図７】図１に図示した放電灯点灯装置において、第２の制御の形態で制御したときの補正信号と負荷電流波形を示す図である。
【図８】本発明に拠らない補正量一定の補正信号で制御したときの補正信号と負荷電流波形を示す図で、図７と比較される。
【図９】図１に図示した放電灯点灯装置において、第２の制御の形態で制御したときの補正信号と負荷電流の波形を示す図である。
【図１０】本発明に拠らない補正量一定の補正信号で制御したときの補正信号と負荷電流波形を示す図で、図９と比較される。
【図１１】図１に図示した放電灯点灯装置において、第２の制御の形態で制御したときの補正信号と負荷電流の波形を示す図である。
【図１２】本発明に拠らない補正量一定の補正信号で制御したときの補正信号と負荷電流波形を示す図で、図１１と比較される。
【図１３】交流矩形波電力で点灯する放電灯点灯装置の各部の波形図である。
【図１４】図１３に図示した波形図の部分拡大図である。
【符号の説明】
１１            コンバータ
１２            インバータ
２            制御部
２０            電力演算部
２１            信号発生部
２２            制御目標値設定部
２３            パルス幅制御部
２５            補正信号生成部
【図１】
2004296119.tif 000003
【図２】
2004296119.tif 000004
【図３】
2004296119.tif 000005
【図４】
2004296119.tif 000006
【図５】
2004296119.tif 000007
【図６】
2004296119.tif 000008
【図７】
2004296119.tif 000009
【図８】
2004296119.tif 000010
【図９】
2004296119.tif 000011
【図１０】
2004296119.tif 000012
【図１１】
2004296119.tif 000013
【図１２】
2004296119.tif 000014
【図１３】
2004296119.tif 000015
【図１４】
2004296119.tif 000016